(57)【特許請求の範囲】
【請求項１】
被収容物を収容する収容部（１０）を有するリュックサック本体（１）に、肩掛けベルト（２４）を備えた可撓性の背当板（２）が設けられてなるリュックサックにおいて、
前記リュックサック本体（１）と前記背当板（２）は、少なくとも上部において離間し、離間した前記リュックサック本体（１）と前記背当板（２）との間に、被保持物を保持可能な保持部（３０）を構成してなることを特徴とするリュックサック。
【請求項２】
前記リュックサック本体（１）と前記背当板（２）には、該リュックサック本体（１）と該背当板（２）とを結ぶベルト（６、７）が設けられてなり、該ベルト（６、７）は、前記リュックサック本体（１）と前記背当板（２）との離間距離を調整可能に構成されてなる請求項１記載のリュックサック。
【請求項３】
前記保持部（３０）には、底側からの被保持物の落下を防止する底床部（３）と両側からの落下を防止する側壁部（４）が設けられてなる請求項１又は２記載のリュックサック。
【請求項４】
前記側壁部（４）は、通気性を有する部材で構成されてなる請求項３記載のリュックサック。
【請求項５】
前記保持部（３０）には、袋状体（５）が着脱可能に取り付けられてなる請求項１乃至４記載のリュックサック。
【請求項６】
前記袋状体（５）は、防水加工されてなる請求項５記載のリュックサック。
【請求項７】
前記袋状体（５）は、溶着可能な防水性の生地が、溶着により成型されてなる請求項６記載のリュックサック。
【発明の詳細な説明】
【０００１】
【発明の属する技術分野】
本発明は、収容部を有するリュックサックに関するものである。
【０００２】
【従来の技術】
従来、この種のリュックサックとしては、例えば、図８に示すものが公知である。
即ち、同図に示す様に、被収容物を収容する収容部４４を有するリュックサック本体４１の背面側に、該リュックサック本体４１の背面側と略同形状で且つ肩掛けベルト４３が取り付けられたクッション材を被包する背当板４２が、全周縁を逢着することによって、取り付けられてなるものである。
かかる構成からなるリュックサックは、収容部４４に収容して、目的地に種々の物を携行するのに使用される。
【０００３】
【発明が解決しようとする課題】
しかしながら、上記従来のリュックサックにあっては、例えば、収容部が一杯になった場合や、他の物と一緒に収容することが望ましくない物を携行する場合等の如く、携行品を収容部に収容しないで携行する場合には、かかる携行品を手に持ったり、袋に入れて手に提げたりする必要がある等、非常に煩わしいものであった。
【０００４】
そこで、本発明は、上記従来の問題点に鑑みなされたもので、収容部に収容しない物でも容易に携行することができるリュックサックを提供することを課題とするものである。
【０００５】
【課題を解決するための手段】
上記課題を解決すべく、本発明にかかるリュックサックは、被収容物を収容する収容部１０を有するリュックサック本体１に、肩掛けベルト２４を備えた可能性の背当板２が設けられてなるリュックサックにおいて、
前記リュックサック本体１と前記背当板２は、少なくとも上部において離間し、離間した前記リュックサック本体１と前記背当板２との間に、被保持物を保持可能な保持部３０を構成してなることを特徴とする。
上記構成からなるリュックサックにあっては、収容部１０に収容しない物を、保持部３０に保持させることができると共に、離間したリュックサック本体１と前記背当板２とが、その間に保持部３０を構成してなるので、保持された被保持物は、リュックサック本体１と前記背当板２とで、移動が制限されることになるのである。
【０００６】
また、本発明にかかるリュックサックにあっては、請求項２記載の如く、前記リュックサック本体１と前記背当板２に、該リュックサック本体１と該背当板２とを結ぶベルト６、７が設けられてなり、該ベルト６、７が、前記リュックサック本体１と前記背当板２との離間距離を調整可能に構成されてなるものが好ましい。
上記構成を採用することにより、離間距離を調節して、保持部３０に保持させた被保持物を前記リュックサック本体１と前記背当板２とで挟持させることができるのである。従って、被保持物は、より移動が制限されて、不用意な落下、紛失等が防止されることになるのである。
【０００７】
さらに、本発明にかかるリュックサックにあっては、請求項３記載の如く、前記保持部３０に、底側からの被保持部３０の落下を防止する底床部３と両側から落下を防止する側壁部４が設けられてなるものが好ましい。
上記構成を採用することにより、被保持物がリュックサック本体１と背当板２との間をすり抜けて、底側から不用意に落下することが防止されると共に、被保持物が左右に移動して、両側から不用意に落下することが防止されるのである。
【０００８】
また、請求項３記載のリュックサックにあっては、請求項４記載の如く、前記側壁部４が通気性を有する部材で構成されてなるものであってもよい。
上記構成を採用することにより、保持部３０に新鮮な空気を確保することができるので、腐化しやすい物を保持させた場合には、被保持物の鮮度をある程度維持することができ、また、濡れた物を保持させた場合には、ある程度の湿りを蒸発させることができるのである。従って、弁当、果物等の食品や、水着、釣服等の湿った衣類、湿った釣り具等に好適なリュックサックとなるのである。
【０００９】
さらに、本発明にかかるリュックサックにあっては、請求項５記載の如く、前記保持部３０に、袋状体５が着脱可能に取付られてなるものであってもよい。
上記構成を採用することにより、携行品を袋状体５に収容することができると共に、袋状体５を取り外して使用することもでき、携行品を収容した袋状体５をそのまま保持部３０に取り付けることもできる。
しかも、袋状体５であれば、携行品の形状に応じて柔軟に変形できるので、収容空間の固定された箱等の如く、収容可能な携行品の形状が、一定範囲の形状に限定されることもないのである。
【００１０】
さらに、請求項６記載の如く、前記袋状体５が、防水加工されてなるものであってもよい。
上記構成を採用することにより、濡れてもいい物と、濡れてはならない物とを分類して、収容部１０と袋状体５にそれぞれ分けて収容することもできる。
【００１１】
また、請求項６記載の袋状体５にあっては、請求項７記載の如く、前記袋状体５が、溶着可能な防水性の生地が溶着により成型されてなるものが好ましい。
袋状体５は、溶着可能な防水性の生地を溶着することにより容易に成型することができるので、このように構成することで、縫製により成型する必要がなくなり、縫い目等が表面に露出しない防水性の袋状体５、即ち、縫い目から水が内部に浸透するおそれのない袋状体５とすることができ、濡らしてはならない物を収容するのにより好適なリュックサックとなるのである。
【００１２】
【発明の実施の形態】
以下、本発明の実施形態について、図面を参照しつつ説明する。
図１〜図３において、１は収容部１０を有するリュックサック本体を示し、該本体１は、片面がポリ塩化ビニル樹脂によりラミネート加工された複数の布が、略箱状に縫製された収容部１０と、表面側に設けられたポケット収容部１１を有してなる。
【００１３】
前記収容部１０は、表面側の表布１２と、背面側の背面布１９と、両側面及び上面を構成する帯布１３と、収容部１０の底部を構成する底布１４及び底部の側面側を構成する底部側布１５とで構成されてなり、これらの布が、表布１２と帯布１３との間を除き、それぞれ逢着され、表布１２と帯布１３は、互いの縁部がツーウェイ式スライドファスナー１６によって取付られて、前記収容部１０が構成されてなる。尚、これらの布は、塩化ビニル樹脂側の面が、収容部１０の内部側になるように構成されている。
そして、このように構成された収容部１０は、前記ツーウェイ式スライドファスナー１６をスライドさせることにより、収容部１０を開閉できる開口部を有する構成になっている。
【００１４】
また、前記底布１４は、略同一形状の二枚の布部材が周縁部で縫合されると共に、間にクッション材が設けられてなり、しかも、表布１２と背面布１９の下端縁とを連結すると共に、背面布１９の下端縁は、表布１２の下端縁より下方に位置してなるので、前記底布１４は、表布１２側から背面布１９側にかけて下方に傾斜した状態となっている。
【００１５】
前記ポケット収容部１１は、前記表布１２が二枚の布部材で二重に構成されることにより、該布部材の間に被収容物を収容する構成になっており、表面側の布部材には、ポケット収容部１１を開閉可能なスライドファスナー１７が設けられてなる。
【００１６】
図中、２は、前記リュック本体１と離間した背当板を示し、該背当板２は、収容部１０側に位置する平織りの布２１と、背負った際に背中に接触する側のメッシュ地２２とが、発砲ポリエチレン製のクッション材を被包した可撓性の板状体である。
また、前記背当板２には、他の部分より肉厚の薄い折曲線２３が略逆Ｕ字状に形成されてなる。
さらに、前記背当板２には、該背当板２の上端部と下方側部とを結ぶ肩掛けベルト２４が２本逢着されてなり、該肩掛けベルト２４の内縁側上端縁近傍には、首との当接を防止すべく、切欠が形成されてなる。
しかも、両肩掛けベルト２４には、該両肩掛けベルト２４が互いに離反して、肩からリュックサック本体１がすり抜けることを防止すべく、両肩掛けベルト２４間を結び且つ両肩掛けベルト２４の離反距離を調節可能な、ベルト２５が設けられてなる。
【００１７】
図中、３は、前記背当板２と前記リュックサック本体１との下端縁を連結する底床部を示し、該底床部３は、図６に示す如く、三重構造の布状体で、後述する袋状体５の底部３４に設けられたベルト３５の挿通可能な挿通孔２６が左右の２カ所に設けられてなる二枚の布部材と、前記挿通孔２６を覆い隠し、中央部が開口した布部材とによって構成されてなる。
４は、前記背当板２と前記リュックサック本体１とのそれぞれの下方側縁部を結ぶ側壁部で、該側壁部４は、通気性の良好なメッシュ地で構成されてなる。
そして、前記リュックサック本体１、前記背当板２、前記底床部３及び前記側壁部４で、前記リュックサック本体１と前記背当板２との間に、保持部３０を構成してなり、前記底床部３は、被保持物の底部からの落下を防止し、前記側壁部４は、被保持物の両側からの落下を防止する構成となっている。
【００１８】
図中、６は、背当板２の上部とリュックサック本体１の上部とを結ぶ一対のベルトで、該ベルト６は互いに連結されて、前記リュック本体１と前記背当板２との必要以上の離間を防止してなる。
しかも、前記ベルト６は、長さ調整が可能で、前記リュック本体１と前記背当板２との離間距離を調整可能に構成されてなる。
また、７は、前記背当板２の側縁部と前記リュックサック本体１の側縁部とを結ぶ一対のベルトで、その構成は、前記ベルト６と同様である。
しかも、前記ベルト７は、後述する袋状体５に設けられたループ８内を挿通し、該袋状体５の横転等を防止してなる。
【００１９】
図中、５は、防水加工された袋状体を示し、該袋状体５は、溶着可能な防水性の生地即ち、片面がポリ塩化ビニル樹脂によりラミネート加工された生地が、溶着のみにより成型されてなる。
例えば、図４に示す如く、片面がポリ塩化ビニル樹脂によりラミネート加工された布部材３１を、ポリ塩化ビニル樹脂面が内面側になる様に筒状体に形成し、両側縁部の塩化ビニル樹脂面同士をウェルダー溶着すると共に、該筒状体の一方の開口部縁部のポリ塩化ビニル樹脂面３２と底用の布部材３３のポリ塩化ビニル樹脂面をウェルダー溶着した後、内側と外側をひっくり返すことにより成型されてなる。
【００２０】
また、前記袋状体５の底部３４には、図５に示す如く、連結可能な一対のベルト３５の端縁が逢着された円形状のシール部材３６を前記底部３３にウェルダー溶着することにより、一対のベルト３５がそれぞれ取り付けられてなる。
【００２１】
そして、前記袋状体５は、前記保持部３０に載置され、図３に示す如く、底部３４に取り付けられた一対のベルト３５を、底床部３を構成する布部材に設けられた挿通孔２６に挿通した後、互いに連結することにより、保持部３０に保持されてなるのである。
しかも、袋状体５の両側面には、ベルト７を内部に挿通可能なループ８が設けられてなり、上述した如く、該ループ８にベルト７を挿通することにより、袋状体５の横転が防止されるのみならず、より強固に保持部３０に保持されることになるのである。
【００２２】
本実施形態のリュックサックは、上記の如く構成されてなるので、以下の利点を有するものである。
即ち、本実施形態のリュックサックは、リュックサック本体１の上部と背当板２との上部を結ぶベルト６が設けられてなるので、リュックサック本体１にある収容部１０に多くの被収容物を収容した場合であっても、リュック本体１と背当板２が所望以上に離反することが防止される。
【００２３】
さらに、リュック本体１の側縁部と背当板２の側縁部とを結ぶベルト７が設けられてなるので、収容袋と一緒に、又は、収容袋を取り外して、釣竿等のリュックサックよりも全長の長い物を保持させた場合でも、被保持物が倒れて、側部から落下する虞も少ないものとなるのである。
【００２４】
また、本実施形態のリュックサックにおいては、背当板２とリュックサック本体１が離間してなり（底床部３及び側壁部４を介して連結されてなり）、しかも、背当板２は可撓性であるので、リュックサックを背負ったものが身体を大きく動かしても、背当板２は、背中の動きに追従して変形し、従来のもの（リュックサック本体と背当板が互いの周縁で逢着されてなるもの）に比して、背負ったまま動きやすいリュックサックとなるのである。
特に、背当板２には、肉厚の薄い折曲線２３が設けられてなるので、背当板２は、背中の動きに追従してより容易に変形し、より屈みやすく、動きやすいリュックサックとなるのである。
【００２５】
尚、本実施形態のリュックサックは、上記構成からなり、上記利点を有するものであったが、本発明のリュックサックは、上記実施形態に限定されるものではなく、適宜設計変更可能である。
例えば、図７に示す如く、リュックサック本体１と背当板２が上部のみにおいて離間してなり、リュックサック本体１と背当板２とで保持部３０を構成するものであっても本発明に意図する範囲内である。
かかる構成を採用することにより、被保持物は、下方に押しやられることにより、背当板２とリュックサック本体１とで、容易に狭持されて、保持されることになるのである。
この場合、長さ調整可能に構成されたベルト９を、該リュックサック本体１と背当板２とを結ぶべく、リュックサック本体１と背当板２とに設けることが好ましい。
このように構成することで、被保持物を保持した後、ベルト９を締め付けることにより、被保持物をより強く狭持させることができ、被保持物が保持部３０から落下する虞もないのである。
【００２６】
【発明の効果】
以上のように、本発明にかかるリュックサックは、保持部に保持させることによって、収容部に収容しない物を容易に携行することができるという利点を有する。
しかも、前記リュックサックと前記背当板とで、被保持物の移動が制限されて、被保持物が不用意にリュックサックから落下することが防止されるので、被保持物を紛失する虞も少ないリュックサックとなるのである。
【図面の簡単な説明】
【図１】本発明の一実施形態のリュックサックを示す斜視図。
【図２】同リュックサックの背面側を示す平面図。
【図３】同リュックサックを示す下方斜視図。
【図４】同実施形態の袋状体で、製造過程の一状態を示す斜視図。
【図５】同袋状体の底部側を示す平面図。
【図６】同実施形態の底床部を示す要部拡大斜視図。
【図７】他実施形態のリュックサックを示す斜視図。
【図８】従来のリュックサックを示す斜視図。
【符号の説明】
１・・・リュックサック本体、２・・・背当板、３・・・底床部、４・・・側壁部、５・・・袋状体、６，７・・・ベルト、１０・・・収容部、２４・・・肩掛けベルト、３０・・・保持部
【図１】
0004183820.tif 000002
【図２】
0004183820.tif 000003
【図３】
0004183820.tif 000004
【図４】
0004183820.tif 000005
【図５】
0004183820.tif 000006
【図６】
0004183820.tif 000007
【図７】
0004183820.tif 000008
【図８】
0004183820.tif 000009